(57)【要約】【課題】同じグリッドを使用して、撮影したＸ線画像の両端部に白抜けが生じることなく、異なる撮影距離から被検体のＸ線画像を撮影することができる散乱Ｘ線除去用グリッドを提供する。【解決手段】散乱Ｘ線除去用グリッドは、枠体と、枠体内に収納され、第１の方向に延在し、かつ、第１の方向に直交する第２の方向に所定の間隔を空けて配置された複数の遮蔽部材とを有する。各々の遮蔽部材は、第１の焦点距離に配置されたＸ線源から照射されるＸ線の、第２の方向に所定の立体角で広がる第１の照射方向に一致する第１の角度に傾斜された第１のプレート片と、第１の焦点距離とは異なる第２の焦点距離に配置されたＸ線源から照射されるＸ線の、第２の方向に所定の立体角で広がる第２の照射方向に一致する第２の角度に傾斜された第２のプレート片とを有する。第１のプレート片と第２のプレート片とが、枠体の、第１および第２の方向に直交する第３の方向の所定の位置で交差するように配置されている。【選択図】図２
2012070858.tif 000002
【特許請求の範囲】
【請求項１】
Ｘ線源から照射されるＸ線が被検体を透過することによって散乱されて発生される散乱Ｘ線を除去するための散乱Ｘ線除去用グリッドであって、
枠体と、
前記枠体内に収納され、第１の方向に延在し、かつ、該第１の方向に直交する第２の方向に所定の間隔を空けて配置された複数の遮蔽部材とを有し、
各々の前記遮蔽部材は、第１の焦点距離に配置されたＸ線源から照射されるＸ線の、前記第２の方向に所定の立体角で広がる第１の照射方向に一致する第１の角度に傾斜された第１のプレート片と、前記第１の焦点距離とは異なる第２の焦点距離に配置されたＸ線源から照射されるＸ線の、前記第２の方向に所定の立体角で広がる第２の照射方向に一致する第２の角度に傾斜された第２のプレート片とを有し、前記第１のプレート片と前記第２のプレート片とが、前記枠体の、前記第１および第２の方向に直交する第３の方向の所定の位置で交差するように配置されていることを特徴とする散乱Ｘ線除去用グリッド。
【請求項２】
前記第１のプレート片と前記第２のプレート片とが交差する所定の位置が、前記枠体の第３の方向の前記Ｘ線源側の端部に沿って一列に配置されていることを特徴とする請求項１に記載の散乱Ｘ線除去用グリッド。
【請求項３】
前記第１のプレート片と前記第２のプレート片とが交差する所定の位置が、前記枠体の第３の方向の前記Ｘ線源とは反対側の端部に沿って一列に配置されていることを特徴とする請求項１に記載の散乱Ｘ線除去用グリッド。
【請求項４】
前記第１のプレート片と前記第２のプレート片とが交差する所定の位置が、前記枠体の第３の方向の中央位置に沿って一列に配置されていることを特徴とする請求項１に記載の散乱Ｘ線除去用グリッド。
【請求項５】
前記第１のプレート片と前記第２のプレート片とが交差する所定の位置が、前記枠体の第３の方向の内部において、所定の撮影距離を中心とする円弧状に配置されていることを特徴とする請求項１に記載の散乱Ｘ線除去用グリッド。
【発明の詳細な説明】
【技術分野】
【０００１】
本発明は、Ｘ線画像撮影装置において、Ｘ線源から照射されるＸ線が被検体を透過することによって散乱されて発生される散乱Ｘ線を除去するための散乱Ｘ線除去用グリッドに関するものである。
【背景技術】
【０００２】
Ｘ線画像撮影装置では、Ｘ線源からＸ線が照射され、被検体を透過したＸ線を、例えば、フラットパネル型検出器（ＦＰＤ（Flat Panel Detector））等のＸ線検出器を用いて検出することによって、被検体のＸ線画像が撮影されている。
【０００３】
この時、Ｘ線源から照射されるＸ線は、被検体を透過することによって散乱され、大量の散乱Ｘ線が発生される。この散乱Ｘ線によって、撮影されるＸ線画像の画質（コントラスト）が劣化することが知られている。従って、Ｘ線画像撮影装置では、散乱Ｘ線除去用集束グリッドを被検体とＸ線検出器の受光面との間に配置することによって、不要な散乱Ｘ線を除去している（特許文献１〜４参照）。
【０００４】
図７は、散乱Ｘ線除去用集束グリッドの構成を表す一例の断面図である。同図に示すように、グリッド４０は、矩形状の枠体４２と、複数の遮蔽部材４４とによって構成されている。
【０００５】
各々の遮蔽部材４４は、枠体４２の内側において、第１の方向（図中紙面に垂直な方向）に延在し、かつ、第１の方向に直交する第２の方向（図中左右方向）に所定の間隔を空けて配置されている。各々の遮蔽部材４４は、焦点距離に配置されたＸ線源４６から照射されるＸ線の、第２の方向に所定の立体角で広がる照射方向に一致する角度、つまり、照射方向と平行な角度に傾斜されている。
【先行技術文献】
【特許文献】
【０００６】
【特許文献１】特開平６−１３０５１６６号公報
【特許文献２】特開平９−９８９７０号公報
【特許文献３】特開平９−１６０１４９号公報
【特許文献４】特開２０００−６０８４３号公報
【発明の概要】
【発明が解決しようとする課題】
【０００７】
グリッド４０は、単一の焦点距離しか持たないため、実際の撮影距離（ＳＩＤ）が焦点距離からずれた場合にはカットオフが生じ、撮影したＸ線画像において、第２の方向の両端部に遮蔽部材の影となる白抜けが発生する。従って、異なる撮影距離から被検体のＸ線画像を撮影する場合には、撮影距離に一致する焦点距離を持つグリッドに入れ替える必要がある。
【０００８】
しかし、Ｘ線画像の撮影技師としては、撮影距離が変わる毎に、撮影距離に対応する焦点距離を持つグリッドに入れ替えることは非常に手間であり、やりたくないというのが実情である。
【０００９】
本発明の目的は、同じグリッドを使用して、撮影したＸ線画像の両端部に白抜けが生じることなく、異なる撮影距離から被検体のＸ線画像を撮影することができる散乱Ｘ線除去用グリッドを提供することにある。
【課題を解決するための手段】
【００１０】
上記目的を達成するために、本発明は、Ｘ線源から照射されるＸ線が被検体を透過することによって散乱されて発生される散乱Ｘ線を除去するための散乱Ｘ線除去用グリッドであって、
枠体と、
前記枠体内に収納され、第１の方向に延在し、かつ、該第１の方向に直交する第２の方向に所定の間隔を空けて配置された複数の遮蔽部材とを有し、
各々の前記遮蔽部材は、第１の焦点距離に配置されたＸ線源から照射されるＸ線の、前記第２の方向に所定の立体角で広がる第１の照射方向に一致する第１の角度に傾斜された第１のプレート片と、前記第１の焦点距離とは異なる第２の焦点距離に配置されたＸ線源から照射されるＸ線の、前記第２の方向に所定の立体角で広がる第２の照射方向に一致する第２の角度に傾斜された第２のプレート片とを有し、前記第１のプレート片と前記第２のプレート片とが、前記枠体の、前記第１および第２の方向に直交する第３の方向の所定の位置で交差するように配置されていることを特徴とする散乱Ｘ線除去用グリッドを提供するものである。
【００１１】
ここで、前記第１のプレート片と前記第２のプレート片とが交差する所定の位置が、前記枠体の第３の方向の前記Ｘ線源側の端部に沿って一列に配置されていることが好ましい。
【００１２】
また、前記第１のプレート片と前記第２のプレート片とが交差する所定の位置が、前記枠体の第３の方向の前記Ｘ線源とは反対側の端部に沿って一列に配置されていることが好ましい。
【００１３】
また、前記第１のプレート片と前記第２のプレート片とが交差する所定の位置が、前記枠体の第３の方向の中央位置に沿って一列に配置されていることが好ましい。
【００１４】
また、前記第１のプレート片と前記第２のプレート片とが交差する所定の位置が、前記枠体の第３の方向の内部において、所定の撮影距離を中心とする円弧状に配置されていることが好ましい。
【発明の効果】
【００１５】
本発明によれば、例えば、第１の焦点距離から被検体のＸ線画像を撮影した後、グリッドを交換することなく、第２の焦点距離から被検体のＸ線画像を撮影したとしても、撮影距離が焦点距離からずれていることによって生じるカットオフを軽減し、Ｘ線画像の両端部で白抜けが生じることを防止することができる。従って、Ｘ線画像の撮影技師は、異なる撮影距離から被検体ＨのＸ線画像を撮影する場合に、グリッドを交換する手間を省くことができ、撮影効率を向上させることができる。
【図面の簡単な説明】
【００１６】
【図１】本発明に係るＸ線画像撮影装置の構成を表す一実施形態のブロック図である。
【図２】散乱Ｘ線除去用集束グリッドの構成を表す一実施形態の断面図である。
【図３】（Ａ）〜（Ｃ）は、第１および第２のプレート片の配置方法を表す一実施形態の概念図である。
【図４】（Ａ）〜（Ｃ）は、図３（Ａ）〜（Ｃ）に示す第１および第２のプレート片の配置方法において、下側のＸ線源から照射されるＸ線が遮蔽部材によって遮蔽される左右方向の幅を表す概念図である。
【図５】第１のプレート片と第２のプレート片とが、枠体３２の高さ方向の中央位置で交差する場合の遮蔽部材の概念図である。
【図６】焦点距離が１００ｃｍと１２０ｃｍの組合せ（グリッド本数＝６７．６本、グリッド比＝１０：１）の場合の、１７×１７インチ（約４３×４３ｃｍ）の画像のグリッド両端におけるＸ線吸収率を表すグラフである。
【図７】散乱Ｘ線除去用集束グリッドの構成を表す一例の断面図である。
【発明を実施するための形態】
【００１７】
以下に、添付の図面に示す好適実施形態に基づいて、本発明の散乱Ｘ線除去用グリッドを詳細に説明する。
【００１８】
図１は、本発明に係るＸ線画像撮影装置の構成を表す一実施形態のブロック図である。同図に示すＸ線画像撮影装置１０は、Ｘ線源から被検体Ｈに照射され、被検体Ｈを透過したＸ線をＸ線検出器で検出することによって、被検体ＨのＸ線画像を撮影する。Ｘ線画像撮影装置１０は、指示入力部１２と、制御部１４と、撮影部１６と、画像処理部１８と、出力部２０とによって構成されている。
【００１９】
指示入力部１２は、撮影条件、撮影開始の指示、画像処理条件、出力指示等の各種の指示を入力するためのものである。指示入力部１２からは、撮影条件、撮影開始の指示、画像処理条件、出力指示等を表す指示信号が出力される。
【００２０】
制御部１４は、指示入力部１２から供給された指示信号に応じて、撮影装置１０の動作を制御する部位である。制御部１４は、例えば、撮影部１６における撮影の制御、画像処理部１８における画像処理の制御、出力部２０における出力の制御等を行う。
【００２１】
撮影部１６は、制御部１４の制御に従って、被検体ＨにＸ線を照射し、被検体Ｈを透過したＸ線を検出することで被検体ＨのＸ線画像を撮影する部位である。撮影部１６からは、被検体ＨのＸ線画像の画像データが出力される。撮影部１６の詳細は後述する。
【００２２】
画像処理部１８は、制御部１４の制御に従って、撮影部１６から供給されたＸ線画像の画像データに対して、オフセット補正、残像補正、欠陥画素補正等を含む各種の画像処理を行う部位である。画像処理部１８は、例えば、コンピュータ上で動作するＸ線画像処理プログラム（ソフトウェア）によって構成される。画像処理部１８からは、画像処理後のＸ線画像の画像データが出力される。
【００２３】
出力部２０は、制御部１４の制御に従って、画像処理部１８から供給された画像処理後のＸ線画像の画像データを出力する部位である。出力部２０は、例えば、Ｘ線画像を画面上に表示するモニタ、Ｘ線画像をプリント出力するプリンタ、Ｘ線画像の画像データを記憶する記憶装置等である。
【００２４】
次に、撮影部１６について説明する。
【００２５】
撮影部１６は、図１に示すように、Ｘ線源２２と、撮影台２４と、Ｘ線検出部２６とによって構成されている。
【００２６】
Ｘ線源２２は、撮影時に、撮影条件に応じて設定された強度のＸ線を設定された時間だけ照射（曝射）する。Ｘ線源２２から照射されたＸ線は、撮影台２４上の被検体Ｈを透過してＸ線検出部２６に入射される。
【００２７】
Ｘ線検出部２６は、被検体Ｈを透過したＸ線を検出してＸ線画像の画像データに変換するものであり、ＦＰＤ２８、散乱Ｘ線除去用集束グリッド３０、Ａ／Ｄ（アナログ／デジタル）変換器（図示省略）等を備えている。
【００２８】
ＦＰＤ２８は、被検体Ｈを透過したＸ線を検出し、Ｘ線画像の画像データ（アナログデータ）に変換するフラットパネル型のＸ線検出器である。ＦＰＤ２８の受光面には、Ｘ線の読取画素が２次元のアレイ状に形成されている。ＦＰＤ２８からは、被検体Ｈが撮影されたＸ線画像の画像データ（アナログデータ）が出力され、これがＡ／Ｄ変換器によりＡ／Ｄ変換されて、変換後のＸ線画像の画像データ（デジタルデータ）が出力される。
【００２９】
ＦＰＤ２８は、Ｘ線を電荷に直接変換する直接方式のＦＰＤ、もしくは、Ｘ線を一旦光に変換し、変換された光をさらに電気信号に変換する間接方式のＦＰＤ等の各種のＸ線検出器を使用することができる。
【００３０】
グリッド３０は、Ｘ線源２２から照射されるＸ線が、被検体を透過することによって散乱されて発生される散乱Ｘ線を除去するためのものである。グリッド３０を使用することによって、ＦＰＤ２８の受光面に入射される散乱Ｘ線の大部分を除去することができる。
【００３１】
以下、グリッド３０について説明する。
【００３２】
図２は、散乱Ｘ線除去用集束グリッドの構成を表す一実施形態の断面図である。同図に示すように、グリッド３０は、２つの焦点距離を持つものであって、Ｘ線検出部２６の内部において、ＦＰＤ２８の受光面から所定の間隔を空けて、ＦＰＤ２８の受光面を覆うように、ＦＰＤ２８の受光面と平行に配置されている。グリッド３０は、矩形状の枠体３２と、複数の遮蔽部材３４とによって構成されている。
【００３３】
各々の遮蔽部材３４は、散乱Ｘ線を遮蔽（吸収）するものであって、枠体３２の内側（枠体３２によって囲まれた領域）において、枠体３２の互いに対向する２つの側面を結ぶ第１の方向（図中紙面に垂直な方向）に延在し、かつ、枠体３２の互いに対向する残りの２つの側面を結ぶ、第１の方向に直交する第２の方向（図中左右方向）に所定の間隔を空けて配置されている。
【００３４】
また、各々の遮蔽部材３４は、第１のプレート片と、第２のプレート片とを組み合わせて構成されている。
【００３５】
各々の遮蔽部材３４の第１のプレート片は、第１の焦点距離に配置されたＸ線源２２ａから照射されるＸ線の、左右方向に所定の立体角で広がる第１の照射方向に一致する第１の角度に傾斜されている。一方、各々の遮蔽部材３４の第２のプレート片は、第１の焦点距離とは異なる第２の焦点距離に配置されたＸ線源２２ｂから照射されるＸ線の、左右方向に所定の立体角で広がる第２の照射方向に一致する第２の角度に傾斜されている。
【００３６】
例えば、図２の例の右端の遮蔽部材３４において、第１のプレート片は、下側のＸ線源２２ａから右端の遮蔽部材３４に向かって照射されるＸ線の照射方向と一致する角度、つまり、Ｘ線の照射方向と平行な方向に傾斜されている。また、第２のプレート片は、上側のＸ線源２２ｂから右端の遮蔽部材３４に向かって照射されるＸ線の照射方向と平行な方向に傾斜されている。
【００３７】
そして、第１のプレート片と第２のプレート片とは、枠体３２の、第１および第２の方向に直交する第３の方向（枠体３２の高さ方向）の所定の位置で交差するように配置されている。つまり、遮蔽部材３４は、第１の焦点距離に対応する傾斜角度を有する第１のプレート片と第２の焦点距離に対応する傾斜角度を有する第２のプレート片を組み合わせた形状のものである。
【００３８】
ここで、第１および第２のプレート片は、例えば、鉛箔等によって構成される。なお、遮蔽部材３４と遮蔽部材３４との間の領域は、空間（空気層）であってもよいし、アルミ箔、ファイバ等によって構成してもよい。
【００３９】
第１および第２の焦点距離としては、例えば、立位のみでグリッド３０を使用したい場合には、胸部の高さである１８０ｃｍと腰椎の高さである１４０ｃｍの焦点距離とすることが望ましい。また、臥位でグリッド３０を使用したい場合には、１００ｃｍと１２０ｃｍの焦点距離とすることが望ましい。立位と臥位の両方で同じグリッド３０を使用したい場合には、１８０ｃｍと１２０ｃｍの焦点距離とすることも考えられる。
【００４０】
同図に示すように、Ｘ線は、Ｘ線源２２ａ、２２ｂ等の所定の撮影位置から放射状に照射され、グリッド３０を介して、ＦＰＤ２８の受光面に向かって直線的に入射する。
【００４１】
次に、第１および第２のプレート片の配置方法について説明する。
【００４２】
図３（Ａ）〜（Ｃ）は、第１および第２のプレート片の配置方法を表す一実施形態の概念図である。同図は、例えば、図２の例の左端の遮蔽部材３４を概念的に表したものであり、直角三角形の斜辺が第１および第２のプレート片である。同図において、第１および第２のプレート片と枠体３２の下側の端部とのなす角を各々θ１、θ２とし、第１および第２のプレート片の高さをともにｄとする。
【００４３】
同図（Ａ）に示す配置方法は、第１のプレート片と第２のプレート片とが交差する位置を、枠体３２の高さ方向の、Ｘ線源とは反対側の端部（図中下側の端部）に沿って一列に配置するものである。この場合、枠体３２の高さ方向の、Ｘ線源側の端部（図中上側の端部）における、第１のプレート片と第２のプレート片との間隔ｗは、ｗ＝ｄ／ｔａｎ（θ１）−ｄ／ｔａｎ（θ２）で表される。
【００４４】
続いて、同図（Ｂ）に示す配置方法は、第１のプレート片と第２のプレート片とが交差する位置を、枠体３２の上側の端部に沿って一列に配置するものである。この場合も同様に、枠体３２の下側の端部における、第１のプレート片と第２のプレート片との間隔ｗは、ｗ＝ｄ／ｔａｎ（θ１）−ｄ／ｔａｎ（θ２）で表される。
【００４５】
同図（Ｃ）に示す配置方法は、第１のプレート片と第２のプレート片とが交差する位置を、枠体３２の高さ方向の中央位置に沿って一列に配置するものである。この場合、枠体３２の上側の端部および下側の端部における、第１のプレート片と第２のプレート片との間隔を各々ａ、ｂとすると、両者の合計ａ＋ｂ（＝ｗ）は同様に、ａ＋ｂ＝ｄ／ｔａｎ（θ１）−ｄ／ｔａｎ（θ２）で表される。
【００４６】
なお、第１のプレート片と第２のプレート片とが交差する位置は、上記例に限らず、枠体３２の高さ方向の内部（下側の端部から上側の端部までの間の領域）であればどの位置でもよい。また、第１のプレート片と第２のプレート片とが交差する位置は、左右方向に一列に配置することに限定されず、例えば、枠体３２の高さ方向の内部において、所定の撮影距離を中心とする円弧状に配置してもよい。
【００４７】
次に、遮蔽部材３４によって遮蔽されるＸ線の幅ｗについて説明する。
【００４８】
図４（Ａ）〜（Ｃ）は、図３（Ａ）〜（Ｃ）に示す第１および第２のプレート片の配置方法において、下側のＸ線源２２ａから照射されるＸ線が遮蔽部材３４によって遮蔽される左右方向の幅を表す概念図である。
【００４９】
図４（Ａ）〜（Ｃ）に示すように、図３（Ａ）〜（Ｃ）の配置方法によらず、下側のＸ線源２２ａから照射されるＸ線は、同一位置の遮蔽部材３４によっては、同一の幅ｗ＝ａ＋ｂ＝ｄ／ｔａｎ（θ１）−ｄ／ｔａｎ（θ２）の領域が遮蔽される。つまり、第１のプレート片と第２のプレート片とが交差する位置によらず、Ｘ線が遮蔽される左右方向の幅ｗは同一となる。また、このことは、上側のＸ線源２２ｂから照射されるＸ線についても同様である。
【００５０】
次に、第１および第２のプレート片の厚さについて説明する。
【００５１】
図５は、第１のプレート片と第２のプレート片とが、枠体３２の高さ方向の中央位置で交差する場合の遮蔽部材の概念図である。第１および第２のプレート片の厚さをともにｔとすると、遮蔽部材３４によってＸ線が遮蔽される左右方向の幅ｗ（＝ａ＋ｂ）は、ｗ＝ｄ／ｔａｎ（θ１）−ｄ／ｔａｎ（θ２）＋ｔで表される。つまり、Ｘ線が遮蔽される幅ｗは、第１および第２のプレート片の厚さｔの分だけ大きくなる。
【００５２】
幅ｗが上記式で表されるため、グリッド３０によるＸ線吸収率（＝１−Ｘ線透過率）は、ｗ／（遮蔽部材３４同士の間隔（＝グリッド本数の逆数））で計算できる。幅ｗは、グリッド３０の左右方向の両端に近づくにつれて大きくなるため、Ｘ線透過率は両端に近くなるほど劣化する。また、Ｘ線透過率は、グリッド比（遮蔽部材３４同士の間隔：遮蔽部材３４の厚さ（高さ））が大きいほど劣化し、第１および第２のプレート片の厚さｔが厚いほど劣化する。
【００５３】
グリッド比を保つことは、散乱Ｘ線遮蔽のために重要であるから、両端でのＸ線透過率の低下を防ぎつつ、散乱Ｘ線の遮蔽性能を維持するには、第１および第２のプレート片の厚さｔを適宜薄くする必要がある。例えば、通常のグリッドの遮蔽部材（プレート片）の厚さは、２８〜５０μｍ程度であるが、本実施形態の遮蔽部材３４の第１および第２のプレート片の厚さｔは、所望のＸ線透過率および散乱Ｘ線の遮蔽性能が得られるように、従来の半分の厚さとされる。
【００５４】
図６は、焦点距離が１００ｃｍと１２０ｃｍの組合せ（グリッド本数＝６７．６本、グリッド比＝１０：１）の場合の、１７×１７インチ（約４３×４３ｃｍ）の画像のグリッド両端におけるＸ線吸収率を表すグラフである。グラフの横軸は、第１および第２のプレート片の厚さ［μｍ］、縦軸は、Ｘ線吸収率［％］である。このグラフから、Ｘ線は、中心から両端に離れるにつれて吸収され、Ｘ線透過率が劣化すること、第１および第２のプレート片の厚さが薄くなることでＸ線透過率が向上することが分かる。
【００５５】
以下、Ｘ線源からＸ線を照射した場合の作用について説明する。
なお、以下の説明では、第１および第２のプレート片の厚さは、従来の半分の厚さとされているものとする。
【００５６】
被検体ＨのＸ線画像を撮影する場合、Ｘ線源から照射されたＸ線は、被検体Ｈを透過することによって散乱され、散乱Ｘ線が発生される。Ｘ線源から照射され、被検体Ｈを透過して直進するＸ線は、グリッド３０の遮蔽部材３４のない領域を通過してＦＰＤ２８の受光面に入射される。一方、散乱Ｘ線は、遮蔽部材３２によって遮蔽され、ＦＰＤ２８の受光面に入射される散乱Ｘ線の大部分が除去される。
【００５７】
Ｘ線源から照射され、被検体Ｈを透過して直進するＸ線のうち、第１および第２のプレート片の両方を通過するＸ線は、その両方のプレート片によって遮蔽され、いずれか一方のプレート片を通過するＸ線は、その一方のプレート片によってＸ線透過率が減少される。そして、プレート片を通過しないＸ線は、グリッド３０の第１および第２のプレート片のない領域を通過してＦＰＤ２８の受光面に入射される。
【００５８】
例えば、下側のＸ線源２２ａから照射され、被検体Ｈを透過して、グリッド３０の右端の遮蔽部材３４に向かって直進するＸ線のうち、第１の焦点距離に対応する傾斜角度を有する第１のプレート片を通過するＸ線は、同時に第２のプレート片も通過する。そのため、第１のプレート片を通過するＸ線は、第１および第２のプレート片の両方によってＸ線透過率が減少され、その結果遮蔽される。言い換えると、Ｘ線が遮蔽されるように、第１および第２のプレート片の厚さが設定されている。
【００５９】
また、第２の焦点距離に対応する傾斜角度を有する第２のプレート片を通過するＸ線のうち、第１のプレート片を通過するＸ線以外のＸ線は、第２のプレート片だけを通過する。そのため、第２のプレート片だけを通過するＸ線は、第２のプレート片によってＸ線透過率が減少され、Ｘ線透過率が減少されたＸ線が第２のプレート片を透過してＦＰＤ２８の受光面に入射される。言い換えると、Ｘ線が所定のＸ線透過率で透過するように、第２のプレート片の厚さが設定される。
【００６０】
また、上側のＸ線源２２ｂから照射され、被検体Ｈを透過して直進するＸ線についても全く同様である。さらに、下側のＸ線源２２ａの位置から上側のＸ線源２２ｂの位置までの範囲の撮影距離でＸ線を照射した場合も同様である。
【００６１】
つまり、下側のＸ線源２２ａを用いて被検体ＨのＸ線画像を撮影した場合、各々の遮蔽部材３４において、被検体Ｈを透過して直進するＸ線のうち、第２のプレート片だけを通過するＸ線は、Ｘ線透過率は低下するが第２のプレート片を透過する。従って、その部分のＸ線画像の画質（コントラスト）は従来よりも多少ながら劣化する。同様に、上側のＸ線源２２ｂを用いて被検体ＨのＸ線画像を撮影した場合も、第１のプレート片だけを通過するＸ線に対応する部分のＸ線画像の画質は多少劣化する。
【００６２】
しかし、グリッド３０であれば、例えば、第１の焦点距離から被検体ＨのＸ線画像を撮影した後、グリッドを交換することなく、第２の焦点距離から被検体ＨのＸ線画像を撮影したとしても、撮影距離が焦点距離からずれていることによって生じるカットオフを軽減し、Ｘ線画像の両端部で白抜けが生じることを防止することができる。従って、Ｘ線画像の撮影技師は、異なる撮影距離から被検体ＨのＸ線画像を撮影する場合に、グリッドを交換する手間を省くことができ、撮影効率を向上させることができる。
【００６３】
最後に、Ｘ線画像撮影装置１０の動作を説明する。
【００６４】
指示入力部１２において、Ｘ線画像の撮影技師により撮影条件が設定され、撮影開始の指示が入力されると撮影が開始される。
【００６５】
撮影が開始されると、撮影部１６において、Ｘ線源２２から、撮影条件に応じて設定された強度のＸ線が設定された時間だけ照射される。照射されたＸ線は、撮影台２４上の被検体Ｈを透過し、グリッド３０を介してＦＰＤ２８に入射され、被検体Ｈを透過したＸ線がＸ線画像の画像データに変換される。続いて、ＦＰＤ２８から、撮影されたＸ線画像の画像データ（アナログデータ）が読み出され、Ａ／Ｄ変換器によりＡ／Ｄ変換されて、変換後のＸ線画像の画像データ（デジタルデータ）が出力される。
【００６６】
画像処理部１８では、撮影部１６から供給された変換後のＸ線画像データに対して、各種の画像処理が行われる。画像処理後のＸ線画像データは出力部２０に供給され、例えば、モニタ上に表示されたり、プリント出力されたり、記憶装置に記憶されたりする。
【００６７】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００６８】
１０  Ｘ線画像撮影装置
１２  指示入力部
１４  制御部
１６  撮影部
１８  画像処理部
２０  出力部
２２  Ｘ線源
２４  撮影台
２６  Ｘ線検出部
２８  ＦＰＤ（Ｘ線検出器）
３０、４０  散乱Ｘ線除去用集束グリッド
３２、４２  枠体
３４、４４  遮蔽部材
【図１】
2012070858.tif 000003
【図２】
2012070858.tif 000004
【図３】
2012070858.tif 000005
【図４】
2012070858.tif 000006
【図５】
2012070858.tif 000007
【図６】
2012070858.tif 000008
【図７】
2012070858.tif 000009